(57)【要約】【課題】部品の配置効率を向上させることができる表示装置を提供する。【解決手段】外ケースの内部に収容される回路基板と、外ケースの内部に収容され、回路基板とコードで接続される電子部品と、前側及び後側のうち一方で回路基板を支持し、前側及び後側のうち他方で電子部品を支持し、コードを前後方向に引き渡す切込６０を有する中ケース３３と、を備える。切込６０は、中ケース３３の周縁３３ｅに位置しコードを切込６０に案内する入口端６１と、切込６０の末端６２と、入口端６１から末端６２まで連続して形成されコードを通す複数の案内路６５、６６であって連続する案内路６５、６６が異なる方向に形成される複数の案内路６５、６６と、を有する。【選択図】図５
2020046287.tif 000002
【特許請求の範囲】
【請求項１】
外ケースと、
前記外ケースの内部に収容される回路基板と、
前記外ケースの内部に収容され、前記回路基板とコードで接続される電子部品と、
前側及び後側のうち一方で前記回路基板を支持し、前記前側及び前記後側のうち他方で前記電子部品を支持し、前記コードを前後方向に引き渡す切込を有する中ケースと、を備え、
前記切込は、前記中ケースの周縁に位置し前記コードを前記切込に案内する入口端と、前記切込の末端と、前記入口端から前記末端まで連続して形成され前記コードを通す複数の案内路であって連続する案内路が異なる方向に形成される複数の案内路と、を有する、表示装置。
【請求項２】
前記複数の案内路は、略直角形に形成される２本の案内路である、請求項１に記載の表示装置。
【請求項３】
前記切込は、前記末端が属する案内路に向って突出した、前記コードの抜け止め用の凸部を有する、請求項１に記載の表示装置。
【請求項４】
前記中ケースは、前記後側で前記回路基板を支持し、前記前側で前記電子部品を支持し、
前記電子部品は、外光センサと、前記外光センサを有するセンサ用回路基板と、であり、
前記外ケースは、前記外光センサに外光を取り込むためのセンサ窓を有する、請求項１に記載の表示装置。
【発明の詳細な説明】
【技術分野】
【０００１】
本発明は、車両等に搭載される表示装置に関する。
【背景技術】
【０００２】
特許文献１には、車両用情報提供装置１００の背面側に位置する回路基板３０１と、車両用情報提供装置１００の前面側に位置するエキサイタ２２３を有する車両用情報提供装置１００が開示されている。エキサイタ２２３は、回路基板３０１と電気コード２２３ａ、２２３ｂで接続される。電気コード２２３ａ、２２３ｂは、回路基板３０１の背面から、見返し部材３０６の外側を通って、透視パネル３０７の背面に配置されたエキサイタ２２３まで引き回される。
【先行技術文献】
【特許文献】
【０００３】
【特許文献１】特開２００６−２３２０４０号公報
【発明の概要】
【発明が解決しようとする課題】
【０００４】
特許文献１のように、回路基板に接続された電気コードを見返し部材の外側を通り引き回す場合、電気コードの長さが長くなるという課題があった。また、電気コードが見返し部材の外部に露出する場合、表示装置を車両に取り付ける際等に作業性を低下させるという課題があった。
【０００５】
本発明はこのような事情を考慮してなされたもので、部品の配置効率を向上させることができる表示装置を提供することを目的とする。
【課題を解決するための手段】
【０００６】
本発明に係る表示装置は、上述した課題を解決するために、外ケースと、前記外ケースの内部に収容される回路基板と、前記外ケースの内部に収容され、前記回路基板とコードで接続される電子部品と、前側及び後側のうち一方で前記回路基板を支持し、前記前側及び前記後側のうち他方で前記電子部品を支持し、前記コードを前後方向に引き渡す切込を有する中ケースと、を備え、前記切込は、前記中ケースの周縁に位置し前記コードを前記切込に案内する入口端と、前記切込の末端と、前記入口端から前記末端まで連続して形成され前記コードを通す複数の案内路であって連続する案内路が異なる方向に形成される複数の案内路と、を有する。
【発明の効果】
【０００７】
本発明に係る表示装置においては、部品の配置効率を向上させることができる。
【図面の簡単な説明】
【０００８】
【図１】本発明に係る表示装置の実施形態としての表示装置の分解斜視図。
【図２】メイン回路基板及び中ケースを後側から示す斜視図。
【図３】下ケースを取り外した表示装置の背面図。
【図４】メイン回路基板及び中ケースを前側から示す説明図。
【図５】切込の拡大図。
【発明を実施するための形態】
【０００９】
本発明に係る表示装置の実施形態を添付図面に基づいて説明する。本発明に係る表示装置は、例えば自動車や二輪車等の車両や、船舶、農業機械、建設機械に搭載される。
【００１０】
図１は、本発明に係る表示装置の実施形態としての表示装置１の分解斜視図である。
図２は、メイン回路基板２０及び中ケース３３を後側から示す斜視図である。
図３は、下ケース３２を取り外した表示装置１の背面図である。
図４は、メイン回路基板２０及び中ケース３３を前側から示す説明図である。
図５は、切込６０の拡大図である。
【００１１】
本実施形態においては、電子部品が、表示パネル１０の輝度を制御するための外部の光（外光）の照度を検出する外光センサ４１、及びセンサ用回路基板４２である例を説明する。
【００１２】
以下の説明において、「前（前面）」、「後（背面）」、「上」、「下」、「右」、及び「左」は、図１における図中の定義「Ｆｒ．」、「Ｒｅ．」、「Ｔｏ．」、「Ｂｏ．」、「Ｒ」、及び「Ｌ」に従う。
【００１３】
表示装置１は、表示パネル１０と、メイン回路基板２０と、ケース３０と、外光センサユニット４０と、を主に有する。
【００１４】
表示パネル１０は、ＴＦＴ（Thin Film Transistor）型のネガ表示（表示画像部分が発光（照明色）、背景部分が遮光（黒色））する液晶表示パネルである。表示パネル１０は、メイン回路基板２０に対してフレキシブルプリント基板で接続される。表示パネル１０は、メイン回路基板２０に設けられたバックライト用の光源により後側から照明されることにより、画像を表示する。表示パネル１０は、例えば、車両速度等の車両状態に係る画像を表示する。
【００１５】
メイン回路基板２０（回路基板）は、光源２１と、表示パネル１０や光源２１のドライバ等を含む制御部と、外光センサユニット４０から外光センサ４１の検出結果を受信するためのコネクタ２２と、を主に有する。
【００１６】
光源２１は、ＬＥＤ（Light Emitting Diode）であり、メイン回路基板２０の前面２０ａの複数箇所に設けられる。光源２１は、意匠３５ｃ用の光源２１ａと、表示パネル１０のバックライト用の光源（図示せず）と、を有する。意匠３５ｃ用の光源２１ａは、表示装置１の意匠３５ｃの数及び位置に応じて、複数個設けられる。バックライト用の光源は、例えば表示パネル１０の後側の所要の位置に設けられる。
【００１７】
制御部は、ＣＰＵ（Central Processing Unit）、ＲＯＭ（Read Only Memory）、ＲＡＭ（Random Access Memory）等を有し、例えば、ＲＯＭに書き込まれたプログラムに従って所定の演算処理を実行する。制御部は、例えば、車両のＥＣＵ（Electronic Control Unit）から各種車両情報を取得する。制御部は、取得した情報に基づき、表示パネル１０を制御したり、光源２１を点灯させたりする。また、制御部は、外光センサ４１から取得した外光に関する情報に基づいて、表示パネル１０の輝度を制御する。
【００１８】
コネクタ２２は、メイン回路基板２０の背面２０ｂに設けられる。コネクタ２２は、差込口が下方（回路基板２０の平面と平行な方向）を向いており、下方から上方に延びたコード４３の後側コネクタ４４ｂと接続される。
【００１９】
外光センサユニット４０は、表示装置１の外光の照度を検出し、メイン回路基板２０に送信する。外光センサユニット４０は、外光センサ４１と、センサ用回路基板４２と、コード４３と、を有する。外光センサ４１及びセンサ用回路基板４２は、外ケースの内部に収容され、回路基板（メイン回路基板２０）とコード（コード４３）で接続される電子部品の一例である。
【００２０】
外光センサ４１は、例えば、フォトダイオードであり、外光の照度を検出する。センサ用回路基板４２は、外光センサ４１を搭載し、外光センサ４１が取得した情報をメイン回路基板２０に送信する。センサ用回路基板４２は、コネクタ４５を背面に有する。センサ用回路基板４２は、中ケース３３に対してネジ５０によりネジ止めされるためのネジ穴４６を有する。コネクタ４５は、差込口が後方を向いており、配置時に後方から前方に延びたコード４３の前側コネクタ４４ａと接続される。コード４３は、所要数のコードの束であり、一端が前側コネクタ４４ａを介してセンサ用回路基板４２に接続され、他端が後側コネクタ４４ｂを介してメイン回路基板２０に接続される。
【００２１】
ケース３０は、上ケース３１と、下ケース３２と、中ケース３３と、を有する。
【００２２】
上ケース３１（外ケース）は、遮光性の樹脂（例えば黒色のＡＢＳ樹脂）である。上ケース３１は、後側が開口した箱形であり、表示装置１の前面及び左右上下の側面となる。上ケース３１は、インサート成形により設けられたパネル３５を前面３１ａに有する。パネル３５は、スモーク色の半透過性の樹脂（例えばＰＭＭＡ（Polymethyl methacrylate））である。パネル３５は、遮光印刷層３６ａと、スモーク印刷層３６ｂと、を有する。
【００２３】
遮光印刷層３６ａは、パネル３５の背面（又は前面）に設けられた遮光性を有する層であり、黒色のインキで印刷されることにより形成される。遮光印刷層３６ａは、パネル３５における遮光したい領域、すなわち、透過させたい領域である表示パネル１０の表示領域３５ａ、外光センサ４１のセンサ窓３５ｂ、及び意匠３５ｃ以外の領域に形成される。これにより、表示領域３５ａは、パネル３５を介して表示パネル１０に表示された画像を視認者に視認させる。また、センサ窓３５ｂは、パネル３５を介して外光センサ４１に外光を取り込む。さらに、意匠３５ｃは、意匠３５ｃの形状に応じて抜き文字状に形成された領域が光源２１ａの光で照明されることにより、所要の情報（図１の例においては方向指示器の状態を示す矢印）を点灯表示する。
【００２４】
スモーク印刷層３６ｂは、センサ窓３５ｂの背面（又は前面）に設けられた半透過性を有する層であり、スモーク色のインキで印刷されることにより形成される。スモーク印刷層３６ｂは、パネル３５を介して外光センサ４１が視認者により視認されないように遮蔽するため、パネル３５自体のスモーク色よりも濃い色のインキにより印刷される。
【００２５】
下ケース３２（外ケース）は、遮光性の樹脂（例えば黒色のポリプロピレン）である。下ケース３２は、メイン回路基板２０の後側を覆い、上ケース３１と嵌合し表示装置１の背面側の外観部品となる。
【００２６】
中ケース３３は、遮光性の樹脂（例えば白色のポリプロピレン）であり、上ケース３１の内部で表示パネル１０、メイン回路基板２０、及び外光センサユニット４０を支持する。具体的には、中ケース３３は、後側でメイン回路基板２０を支持し、前側で外光センサユニット４０を支持する。中ケース３３は仕切壁３３ａと、センサ支持用凹部３７と、切込６０と、コード支持部３８と、を有する。
【００２７】
仕切壁３３ａは、各光源２１ａを囲い区画３３ｂを形成する。仕切壁３３ａは、光源２１ａの照明（発光）領域を区切る前後方向に延びた筒状の壁であり、光源２１ａの光はこの区画３３ｂを後側から前側に向って通る。仕切壁３３ａは、後側開口端３３ｃと、前側開口端３３ｄと、を有する。後側開口端３３ｃは、後側に位置する開口端であり、メイン回路基板２０と接する。前側開口端３３ｄは、前側に位置する開口端であり、上ケース３１のパネル３５と接する。
【００２８】
センサ支持用凹部３７は、中ケース３３の前面であって、センサ用回路基板４２が配置される位置に設けられる（図４）。センサ支持用凹部３７は、センサ用回路基板４２の形状に対応した、センサ用回路基板４２を収容する背面方向の凹みである。また、センサ支持用凹部３７は、センサ用回路基板４２をネジ止めするためのネジ穴３７ａを有する。
【００２９】
切込６０は、コード４３を前後方向に引き渡す。切込６０は、入口端６１と、末端６２と、２本（複数）の案内路６５、６６と、凸部６７と、を有する。
【００３０】
入口端６１は、中ケース３３の周縁３３ｅに位置し、コード４３の切込６０（案内路６５）と繋がり、切込６０への入口となる。末端６２は、入口端６１に対する切込６０（案内路６６）の突き当りとなる末端である。
【００３１】
複数の案内路６５、６６は、入口端６１から末端６２までの間に連続して形成され、コード４３の通り道となる（コード４３を通す）。連続する案内路６５、６６は、異なる方向に形成される。すなわち、案内路６５（以下、単に「上下案内路６５」という。）は下から上方向に形成され、案内路６６（以下、単に「左右案内路６６」という。）は左から右方向に形成されることにより、案内路６５、６６は、互いに略直角に交わる連続した略（略Ｌ字形）に形成される。
【００３２】
凸部６７は、末端６２が属する（一方の端部が末端６２となる）左右案内路６６の入口近傍に、左右案内路６６に向って切込６０の内壁６０ａから突出した、コード４３の抜け止め用の一対の凸形状である。一対の凸部６７は、コード４３の直径よりも小さい隙間を互いの先端部間で形成する。具体的には、一対の凸部６７は、入口端６１から挿入されたコード４３が、凸部６７を通過可能な程度の隙間であって、且つ凸部６７を通過したコード４３が左右案内路６６を入口端６１側に戻らない程度の隙間を有するように形成される。このため、凸部６７が設けられる位置は、左右案内路６６のうち、コード４３が最終的に支持される位置よりも入口端６１側であればよい。
【００３３】
コード支持部３８は、左右案内路６６に挿入され、中ケース３３に対して前後方向に延びるコード４３を支持する。コード支持部３８は、中ケース３３の背面３３ｆに対して後側に向って回路基板２０の背面２０ｂ略垂直に延びた筒状部材である。
【００３４】
次に、外光センサユニット４０をメイン回路基板２０に取り付ける際の手順について説明する。
【００３５】
まず、外光センサユニット４０のコード４３が、メイン回路基板２０が固定された中ケース３３の切込６０に対して挿入される。具体的には、入口端６１からコード４３が上下案内路６５に挿入され、上下案内路６５に沿って下から上方向に通される。上下案内路６５と左右案内路６６の接続部分において、コード４３は進行方向が約９０度変わり、左右案内路６６に沿って左から右方向に進む。このとき、コード４３は、左右案内路６６の入口近傍に設けられた凸部６７の隙間に対して軽く圧入されながら、左右案内路６６を進む。コード４３が凸部６７を越えると、凸部６７が左右案内路６６に対する抜け止めとなり、コード４３はその位置で支持される。コード４３は、コード支持部３８に支持されつつ、中ケース３３に対して前後方向に配置される。
【００３６】
次に、コード４３の前側コネクタ４４ａ及びセンサ用回路基板４２のコネクタ４５が接続され、センサ用回路基板４２がセンサ支持用凹部３７に配置される。センサ用回路基板４２は、ネジ穴３７ａ、４６に挿入されたネジ５０により、センサ支持用凹部３７にネジ止めされる。その後、コード４３の後側コネクタ４４ｂ及びメイン回路基板２０のコネクタ２２が接続される。これにより、外光センサユニット４０は、メイン回路基板２０に取り付けられる。
【００３７】
このような表示装置１は、前側に配置された外光センサユニット４０及び後側に配置されたメイン回路基板２０を、中ケース３３の切込６０を通るコード４３で接続できるため、コード４３が中ケース３３の外側を通る場合に比べて部品の配置効率を向上させることができる。また、表示装置１は、コード４３の物理的な距離を短くできるため、部品量の削減及び内部空間の効率化を図ることもできる。
【００３８】
特に、コード４３を中ケース３３の前後方向に引き回すことができることから、電子部品としての外光センサユニット４０を表示装置１の前側に好適に配置することができる。仮に、コード４３が中ケース３３の前後方向に引き回せない場合には、外光センサユニット４０はメイン回路基板２０の近傍、すなわち中ケース３３の後側に配置されることになる。この場合、パネル３５近傍の外光をセンサ窓３５ｂの後側に配置された導光体で受光し、導光体により外光を外光センサ４１まで導くことになる。このため、外光の検出精度が低下し、表示パネル１０等の輝度の好適な制御が困難となる。これに対し、本実施形態における表示装置１は、パネル３５のセンサ窓３５ｂの直後に配置された外光センサ４１により外光の照度を精度よく検出することができ、好適な輝度制御を行うことができる。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【００４０】
例えば、上記実施形態においては、中ケースが後側で回路基板を支持し、前側で電子部品を支持する例を説明したが、前側で回路基板を支持し、後側で電子部品を支持してもよい。
【００４１】
切込は、略直角形の２本の案内路を有する場合に限らず、連続する案内路が異なる方向に形成された複数の案内路を有していればよく、切込（案内路）の形状や本数は問わない。すなわち、コードが切込から抜け出なければよく、複数の案内路がクランク状や、迷路状、曲線状に形成されていてもよい。また、切込の形状のみでコードが抜け出なければ、コードの抜け止め用の凸部を省略してもよい。
【００４２】
センサ用回路基板は、中ケースに対してフックで固定されてもよい。
【符号の説明】
【００４３】
１  表示装置
１０  表示パネル
２０  メイン回路基板（回路基板）
２０ａ  前面
２０ｂ  背面
２１  光源
２１ａ  光源
２２  コネクタ
３０  ケース
３１  上ケース（外ケース）
３１ａ  前面
３２  下ケース（外ケース）
３３  中ケース
３３ａ  仕切壁
３３ｂ  区画
３３ｃ  後側開口端
３３ｄ  前側開口端
３３ｅ  周縁
３３ｆ  背面
３５  パネル
３５ａ  表示領域
３５ｂ  センサ窓
３５ｃ  意匠
３６ａ  遮光印刷層
３６ｂ  スモーク印刷層
３７  センサ支持用凹部
３７ａ  ネジ穴
３８  コード支持部
４０  外光センサユニット
４１  外光センサ（電子部品）
４２  センサ用回路基板（電子部品）
４３  コード
４４ａ  前側コネクタ
４４ｂ  後側コネクタ
４５  コネクタ
４６  ネジ穴
５０  ネジ
６０  切込
６０ａ  内壁
６１  入口端
６２  末端
６５  上下案内路（案内路）
６６  左右案内路（案内路）
６７  凸部
【図１】
2020046287.tif 000003
【図２】
2020046287.tif 000004
【図３】
2020046287.tif 000005
【図４】
2020046287.tif 000006
【図５】
2020046287.tif 000007